(57)【要約】【課題】優れた制振性能と耐久性をコンパクトな構造で両立して実現することができる、新規な構造のダイナミックダンパを提供すること。【解決手段】マス部材１２の両側が支持ゴム弾性体１４を介して制振対象６４に取り付けられることで制振対象６４に対する副振動系を構成するダイナミックダンパ１０であって、支持ゴム弾性体１４の横断面が、制振対象６４に対するマス部材１２の弾性連結方向において制振対象６４側からマス部材１２側に向かって小さくされている。【選択図】図１
2020122513.tif 000002
【特許請求の範囲】
【請求項１】
マス部材の両側が支持ゴム弾性体を介して制振対象に取り付けられることで該制振対象に対する副振動系を構成するダイナミックダンパであって、
前記支持ゴム弾性体の横断面が、前記制振対象に対する前記マス部材の弾性連結方向において該制振対象側から該マス部材側に向かって小さくされているダイナミックダンパ。
【請求項２】
前記支持ゴム弾性体において、少なくとも制振すべき主たる振動の入力方向の両側面が、前記制振対象側から前記マス部材側に向かって互いに接近する傾斜面とされている請求項１に記載のダイナミックダンパ。
【請求項３】
前記支持ゴム弾性体が矩形の横断面形状を有しており、
該支持ゴム弾性体における４つの平面からなる外周面のうちで、少なくとも制振すべき主たる振動の入力方向で相互に対向する一対の面が、前記制振対象側から該マス部材側に向かって互いに接近する傾斜面とされている請求項２に記載のダイナミックダンパ。
【請求項４】
前記支持ゴム弾性体において、少なくとも制振すべき主たる振動の入力方向に直交する両側面が、前記制振対象側から前記マス部材側に向かって互いに平行に延びる平行面とされている請求項１〜３の何れか一項に記載のダイナミックダンパ。
【請求項５】
前記支持ゴム弾性体における前記マス部材側と前記制振対象側との少なくとも一方の側には取付ブラケットが固着されており、該取付ブラケットを介して、該支持ゴム弾性体が該マス部材又は該制振対象へ取り付けられるようになっている請求項１〜４の何れか一項に記載のダイナミックダンパ。
【請求項６】
前記支持ゴム弾性体において、前記制振対象側から前記マス部材側に向かって横断面を小さくされた領域が、該制振対象と該マス部材の弾性連結方向における該支持ゴム弾性体の全長の６０％以上の長さ寸法で設けられている請求項１〜５の何れか一項に記載のダイナミックダンパ。
【請求項７】
前記支持ゴム弾性体において、前記制振対象側から前記マス部材側に向かって小さくされた横断面の単位長さ当たりの縮小変化割合が１％〜５％の範囲内に設定されている請求項１〜６の何れか一項に記載のダイナミックダンパ。
【請求項８】
前記マス部材の両側において並列的に配置された複数の前記支持ゴム弾性体が設けられていると共に、それら各支持ゴム弾性体の横断面が何れも前記制振対象側から該マス部材側に向かって次第に小さくされている請求項１〜７の何れか一項に記載のダイナミックダンパ。
【発明の詳細な説明】
【技術分野】
【０００１】
本発明は、制振対象に対する副振動系を構成して、制振対象の振動を低減するダイナミックダンパに関するものである。
【背景技術】
【０００２】
従来から、制振対象の振動を低減するダイナミックダンパが知られている。かかるダイナミックダンパの一種として、例えば、特開２００８−０１４３７７号公報（特許文献１）にシートダンパとして示されているものがある。即ち、マス部材の両側を、バネ部材としての防振基体を介して制振対象（シート）に取り付けることで、制振対象に対する副振動系を構成している。
【０００３】
そして、両側の防振基体による連結軸に略直交する方向に入力される振動に対して制振効果が発揮されるように、副振動系のマス質量や共振周波数がチューニングされて用いられることとなる。
【先行技術文献】
【特許文献】
【０００４】
【特許文献１】特開２００８−０１４３７７号公報
【発明の概要】
【発明が解決しようとする課題】
【０００５】
しかしながら、本発明者が検討したところ、特許文献１に開示されている如き従来構造のダイナミックダンパでは、制振性能と耐久性を両立して実現することが難しい場合のあることが明らかになった。特にダンパ配設スペースが制限されたり、制振対象が低周波振動の場合などでは、制振性能と耐久性の両立が一層難しくなる。
【０００６】
例えば、所定のマス質量のもとで副振動系の共振周波数を低周波数域にチューニングするには、バネ系のばね定数を小さくする必要がある。ところが、バネ系を構成するゴム弾性体のばね定数を小さくするために、ゴム弾性体の断面積を小さくすると、ゴム弾性体の耐久性の確保が難しい。一方、ゴム弾性体の自由長を大きくすることでばね定数を小さくするには、ダイナミックダンパの大型化が避けられず、ダンパの配設スペースが問題となってしまう。
【０００７】
本発明の解決課題は、優れた制振性能と耐久性をコンパクトな構造で実現することができる、新規な構造のダイナミックダンパを提供することにある。
【課題を解決するための手段】
【０００８】
以下、本発明を把握するための好ましい態様について記載するが、以下に記載の各態様は、例示的に記載したものであって、適宜に互いに組み合わせて採用され得るだけでなく、各態様に記載の複数の構成要素についても、可能な限り独立して認識及び採用することができ、適宜に別の態様に記載の何れかの構成要素と組み合わせて採用することもできる。それによって、本発明では、以下に記載の態様に限定されることなく、種々の別態様が実現され得る。
【０００９】
第一の態様は、マス部材の両側が支持ゴム弾性体を介して制振対象に取り付けられることで該制振対象に対する副振動系を構成するダイナミックダンパであって、前記支持ゴム弾性体の横断面が、前記制振対象に対する前記マス部材の弾性連結方向において該制振対象側から該マス部材側に向かって小さくされているものである。
【００１０】
本態様に従う構造とされたダイナミックダンパによれば、支持ゴム弾性体の横断面が、制振対象によって固定的に保持されて応力が集中し易くなる制振対象側において、マス部材側よりも大きくされていることにより、マス部材側への応力の分散化が図られる。それ故、特に支持ゴム弾性体の制振対象側において亀裂などが生じ難くなって、支持ゴム弾性体の耐久性の向上が図られる。
【００１１】
本発明者は、実験と解析の結果、マス部材の両側が支持ゴム弾性体を介して制振対象に取り付けられる態様のダイナミックダンパでは、支持ゴム弾性体に発生する応力がマス部材側と制振対象側とで相違するとの新たな知見を得た。即ち、振動入力に際してマス部材が理想的な並進運動をする限りは、支持ゴム弾性体のマス部材側と制振対象側とに発生する応力に大きな差異が生じないこととなる。しかし、詳細に又はミクロ的に見ると、車両ボデー等の剛体からなる制振対象に比して、可動体であるマス部材は傾動等の自由変位が許容されることから、支持ゴム弾性体のマス部材側では過大な集中的応力の発生が緩和されるものと考えられる。
【００１２】
このような知見に基づいて為された本態様では、支持ゴム弾性体の横断面が、マス部材側において制振対象側よりも小さくされていることにより、耐久性を確保しながら、支持ゴム弾性体のばね特性のチューニング自由度を大きく得ることができる。特に、制振対象側では大きな断面積をもって支持ゴム弾性体の耐久性を確保しつつ、発生応力が小さいマス部材側で横断面を小さくして支持ゴム弾性体のばね定数を小さく設定することで、ダイナミックダンパの共振周波数を低周波に設定することも可能となる。
【００１３】
第二の態様は、第一の態様に記載されたダイナミックダンパにおいて、前記支持ゴム弾性体において、少なくとも制振すべき主たる振動の入力方向の両側面が、前記制振対象側から前記マス部材側に向かって互いに接近する傾斜面とされているものである。
【００１４】
本態様に従う構造とされたダイナミックダンパによれば、支持ゴム弾性体において、主たる振動の入力時に応力集中が発生し易い主たる振動の入力方向の両側面が、互いに接近する傾斜面とされている。それ故、支持ゴム弾性体の横断面が、制振対象側からマス部材側に向かって主たる振動の入力方向で小さくなっている。これにより、支持ゴム弾性体の主たる振動の入力方向における横断面の幅寸法が比較的に大きくされた制振対象側において、耐久性の向上が効率的に図られる。更に、マス部材側において、支持ゴム弾性体の主たる振動の入力方向における横断面の幅寸法が比較的に小さくされることで、支持ゴム弾性体の主たる振動の入力方向におけるばね特性をより効率的に調節することも可能になる。
【００１５】
第三の態様は、第二の態様に記載されたダイナミックダンパにおいて、前記支持ゴム弾性体が矩形の横断面形状を有しており、該支持ゴム弾性体における４つの平面からなる外周面のうちで、少なくとも制振すべき主たる振動の入力方向で相互に対向する一対の面が、前記制振対象側から該マス部材側に向かって互いに接近する傾斜面とされているものである。
【００１６】
本態様に従う構造とされたダイナミックダンパによれば、支持ゴム弾性体の耐久性の向上とばね特性の設定自由度とを両立してそれぞれ効率的に実現することができる。
【００１７】
第四の態様は、第一〜第三の何れか１つの態様に記載されたダイナミックダンパにおいて、前記支持ゴム弾性体において、少なくとも制振すべき主たる振動の入力方向に直交する両側面が、前記制振対象側から前記マス部材側に向かって互いに平行に延びる平行面とされているものである。
【００１８】
本態様に従う構造とされたダイナミックダンパによれば、主たる振動の入力方向において支持ゴム弾性体のばね定数を小さく設定しながら、主たる振動の入力方向に直交する方向では、支持ゴム弾性体のばね定数を確保することができる。それ故、例えば、主たる振動の入力に対して、主たる振動の入力方向に対して直交する方向への振れや捩じれなどが抑えられて、マス部材の変位が安定する。その結果、支持ゴム弾性体の耐久性の向上や、制振作用の安定した発揮などが実現される。
【００１９】
第五の態様は、第一〜第四の何れか１つの態様に記載されたダイナミックダンパにおいて、前記支持ゴム弾性体における前記マス部材側と前記制振対象側との少なくとも一方の側には取付ブラケットが固着されており、該取付ブラケットを介して、該支持ゴム弾性体が該マス部材又は該制振対象へ取り付けられるようになっているものである。
【００２０】
本態様に従う構造とされたダイナミックダンパによれば、マス部材と制振対象の少なくとも一方を、取付ブラケットによって、支持ゴム弾性体に対して後から簡単に取り付けることができる。
【００２１】
第六の態様は、第一〜第五の何れか１つの態様に記載されたダイナミックダンパにおいて、前記支持ゴム弾性体において、前記制振対象側から前記マス部材側に向かって横断面を小さくされた領域が、該制振対象と該マス部材の弾性連結方向における該支持ゴム弾性体の全長の６０％以上の長さ寸法で設けられているものである。
【００２２】
本態様に従う構造とされたダイナミックダンパによれば、支持ゴム弾性体の横断面が、広い領域に亘って、制振対象側からマス部材側に向かって小さくなっている。これにより、支持ゴム弾性体において、制振対象側からマス部材側に向かって横断面を急激に変化させることなく十分に縮小変化させることができる。それ故、支持ゴム弾性体において、応力分散による耐久性の向上と、ばね特性の調節自由度の向上とを、何れも有効に実現することができる。
【００２３】
第七の態様は、第一〜第六の何れか１つの態様に記載されたダイナミックダンパにおいて、前記支持ゴム弾性体において、前記制振対象側から前記マス部材側に向かって小さくされた横断面の単位長さ当たりの縮小変化割合が１％〜５％の範囲内に設定されているものである。
【００２４】
本態様に従う構造とされたダイナミックダンパによれば、支持ゴム弾性体において、制振対象側からマス部材側に向かって、横断面の急激な変化を抑えながら縮小変化量を十分に得ることができる。それ故、支持ゴム弾性体において、応力分散による耐久性の向上と、ばね特性の調節自由度の向上とを、何れも有効に実現することができる。
【００２５】
第八の態様は、第一〜第七の何れか１つの態様に記載されたダイナミックダンパにおいて、前記マス部材の両側において並列的に配置された複数の前記支持ゴム弾性体が設けられていると共に、それら各支持ゴム弾性体の横断面が何れも前記制振対象側から該マス部材側に向かって次第に小さくされているものである。
【００２６】
本態様に従う構造とされたダイナミックダンパによれば、マス部材の両側に各複数の支持ゴム弾性体が並列的に設けられることによって、それら支持ゴム弾性体によるばね特性の設定自由度がより大きくなり得る。しかも、それら各支持ゴム弾性体の横断面が何れも制振対象側からマス部材側に向かって次第に小さくされていることによって、各支持ゴム弾性体において、応力の分散化による耐久性の向上と、ばね特性の設定自由度の確保とが、両立して実現される。
【発明の効果】
【００２７】
本発明によれば、優れた制振性能と耐久性をコンパクトな構造で両立して実現することができる。
【図面の簡単な説明】
【００２８】
【図１】本発明の第一の実施形態としてのダイナミックダンパを示す正面図。
【図２】図１に示すダイナミックダンパの平面図。
【図３】図１に示すダイナミックダンパの背面図。
【図４】図１に示すダイナミックダンパの右側面図。
【図５】図１のＶ−Ｖ断面図。
【図６】図２のＶＩ−ＶＩ断面図。
【図７】図１のＶＩＩ−ＶＩＩ断面図。
【図８】本発明に係るダイナミックダンパを構成する支持ゴム弾性体の解析結果を示す図であって、（ａ）が比較例としての支持ゴム弾性体の解析結果を、（ｂ）が実施例としての支持ゴム弾性体の解析結果を、それぞれ示す。
【図９】本発明の別の一実施形態としてのダイナミックダンパの要部を示す断面図。
【発明を実施するための形態】
【００２９】
以下、本発明の実施形態について、図面を参照しつつ説明する。
【００３０】
図１〜４には、本発明の第一の実施形態としてのダイナミックダンパ１０が示されている。ダイナミックダンパ１０は、マス部材１２の両側にそれぞれ支持ゴム弾性体１４が設けられた構造を有している。以下の説明において、原則として、上下方向とは図１中の上下方向を、前後方向とは図４中の左右方向を、左右方向とは図１中の左右方向を、それぞれ言う。
【００３１】
より詳細には、マス部材１２は、鉄などの比重の大きい材料で形成されており、図５〜７にも示すように、略矩形ブロック状とされている。マス部材１２は、上下方向の幅寸法が前後方向及び左右方向の幅寸法よりも小さい扁平な矩形板形状とされている。マス部材１２は、前後方向よりも左右方向に長い長手板形状とされている。マス部材１２の左右方向の両端部分には、図６，７に示すように、上下方向に貫通するボルト孔１６がそれぞれ形成されている。
【００３２】
さらに、マス部材１２の左右方向の中央部分には、図５に示すように、上下及び前後の４面を覆うストッパゴム１８が固着されている。ストッパゴム１８は、薄肉のゴム層であって、複数の緩衝突起２０が上下両面に突出して一体形成されている。緩衝突起２０は、略円錐形状とされており、突出先端に向けて横断面が小さくなっている。
【００３３】
支持ゴム弾性体１４は、図６，７に示すように、略矩形板状とされて、マス部材１２の左右方向の端面に対応する略矩形の横断面（左右方向に対して直交する断面）形状を有している。これにより、支持ゴム弾性体１４の外周面は、上下方向に対する交差方向に広がる上下両面と、前後方向に対する交差方向に広がる前後両面との４つの平面を備えている。
【００３４】
また、支持ゴム弾性体１４は、左右方向の内側端部に取付ブラケットとしてのマス側ブラケット２２が固着されていると共に、左右方向の外側端部に取付ブラケットとしてのボデー側ブラケット２４が固着されている。本実施形態の支持ゴム弾性体１４は、ボデー側ブラケット２４とマス側ブラケット２２を備えた一体加硫成形品とされており、ボデー側ブラケット２４とマス側ブラケット２２が支持ゴム弾性体１４の成形時に固着される。
【００３５】
マス側ブラケット２２は、金属などで形成された高剛性の部材であって、支持ゴム弾性体１４が固着される側壁部２６と、側壁部２６の上端及び下端において左右方向の内側へ延び出す上壁部２８及び下壁部３０と、それら側壁部２６と上壁部２８と下壁部３０との各後端につながる後壁部３２とを、備えている。マス側ブラケット２２は、側壁部２６が左右方向に対して略直交して広がっていると共に、上壁部２８及び下壁部３０が上下方向に対して略直交して広がっており、更に後壁部３２が前後方向に対して略直交して広がっている。
【００３６】
ボデー側ブラケット２４は、上金具３４と下金具３６によって構成されている。上金具３４は、前後方向に延びる上下逆向きの溝形状とされている。上金具３４は、溝形状の開口側の端部である下端部において、左右方向の外側へ延び出す上固定片３８が設けられている。上金具３４の左右方向の中央部分には、後方から下方へ延び出す中間支持片４０が一体形成されている。
【００３７】
下金具３６は、上向きに開口する浅底の略矩形皿形状とされている。下金具３６の開口側の端部である上端部には、略全周に亘って外周へ延び出す下固定片４２が設けられている。下金具３６の底壁部４４には、植設ピン４６が左右両端部分において下向きに突出するように植設されている。
【００３８】
本実施形態では、上金具３４の上固定片３８と下金具３６の下固定片４２が上下方向で相互に重ね合わされる。また、下金具３６の後端部に沿って左右方向に延びる棒状の後部押え部材４８と、後部押え部材４８の左右方向の両端部分から前方へ延び出す側部押え部材５０，５０とが、下固定片４２に対して溶接などの手段で固定される。そして、図４〜６の示すように、上金具３４の上固定片３８，３８が、下金具３６の下固定片４２と側部押え部材５０，５０との間で挟まれると共に、上金具３４の中間支持片４０が、下金具３６の下固定片４２と後部押え部材４８との間で挟まれる。これらにより、上金具３４と下金具３６が相互に連結されている。
【００３９】
なお、本実施形態では、後部押え部材４８と側部押え部材５０，５０とが、下固定片４２に予め固定されている。そして、上金具３４の上固定片３８と中間支持片４０が、下金具３６の下固定片４２と後部押え部材４８及び側部押え部材５０，５０との間に前方から差し入れられる。更に、上金具３４の上固定片３８と中間支持片４０が、下金具３６の下固定片４２と後部押え部材４８及び側部押え部材５０，５０との間に差し入れた状態で、前側の下固定片４２に棒状の抜止部材５２が溶接などの手段で固定されることにより、上金具３４と下金具３６の分離が防止される。また、棒状の後部押え部材４８と側部押え部材５０，５０と抜止部材５２とが下金具３６に設けられることで、下金具３６の変形剛性が高められている。
【００４０】
また、ボデー側ブラケット２４の左右方向の両端部分には、上金具３４の上固定片３８と下金具３６の下固定片４２とを上下方向に貫通する複数のボルト孔５４が形成されている。それらボルト孔５４に挿通される図示しない取付用ボルトが車両ボデー６４（後述）に固定されることによって、上金具３４と下金具３６がより強固に固定される。尤も、上金具３４と下金具３６は、溶接や嵌合、係止等の各種公知の固定手段によって、相互に固定されていても良い。
【００４１】
支持ゴム弾性体１４は、図７に示すように、前後方向で相互に対向する前後両面が、ボデー側ブラケット２４側からマス側ブラケット２２側に向かって互いに略平行に広がる平行面５６とされている。平行面５６は、それぞれ前後方向に対して直交して広がっており、支持ゴム弾性体１４の弾性中心軸Ｌが延びる方向に対して略平行に延びる平面とされている。
【００４２】
さらに、上下方向で相互に対向する支持ゴム弾性体１４の上下両面は、ボデー側ブラケット２４側からマス側ブラケット２２側に向かって次第に上下方向の内側へ傾斜する傾斜面５８，５８とされている。換言すれば、支持ゴム弾性体１４の上下両面は、ボデー側ブラケット２４側からマス側ブラケット２２側に向かって互いに接近する傾斜面５８，５８とされている。これにより、支持ゴム弾性体１４は、弾性中心軸Ｌと直交する横断面が、弾性中心軸Ｌが延びる左右方向において、ボデー側ブラケット２４側からマス側ブラケット２２側に向かって小さくされている。本実施形態では、支持ゴム弾性体１４の外周面において、前後両面が平行面５６，５６とされていると共に、上下両面が傾斜面５８，５８とされていることから、支持ゴム弾性体１４の上下方向の幅寸法が、ボデー側ブラケット２４側からマス側ブラケット２２側に向かって小さくされている。
【００４３】
傾斜面５８，５８の左右方向の長さ寸法は、支持ゴム弾性体１４の上下両面の左右方向の全長に対して、例えば、６０％以上、より好適には、８０％以上とされている。このように、支持ゴム弾性体１４の上下両面における広い範囲が傾斜面５８，５８で構成されることにより、左右方向において支持ゴム弾性体１４の横断面がボデー側ブラケット２４側からマス側ブラケット２２側に向かって次第に小さくなる領域を広く確保できる。それ故、左右方向において支持ゴム弾性体１４の横断面の面積の急激な変化を抑えつつ、支持ゴム弾性体１４の横断面における最小面積と最大面積の差を大きくすることができる。
【００４４】
また、左右方向で傾斜面５８，５８が形成された領域において、支持ゴム弾性体１４の横断面は、ボデー側ブラケット２４側からマス側ブラケット２２側に向かって、単位長さ当たり１％〜５％の縮小変化割合で小さくなっていることが望ましい。支持ゴム弾性体１４の横断面の縮小変化割合が５％以下とされることにより、支持ゴム弾性体１４の横断面の急激な面積変化が回避されて、応力の効果的な分散化が図られる。支持ゴム弾性体１４の横断面の縮小変化割合が１％以上とされることにより、支持ゴム弾性体１４の横断面における最小面積と最大面積の差を大きく確保できて、支持ゴム弾性体１４のばね特性の設定自由度が大きくなる。
【００４５】
かくの如き構造とされた支持ゴム弾性体１４の一体加硫成形品は、マス側ブラケット２２の上壁部２８が、マス部材１２に対して、マス固定ボルト６０によって取り付けられている。これにより、支持ゴム弾性体１４は、マス部材１２とボデー側ブラケット２４を左右方向で相互に連結して設けられている。マス側ブラケット２２は、マス部材１２の左右方向の両端部分にそれぞれ取り付けられている。これにより、マス部材１２は、左右方向の両側において、支持ゴム弾性体１４によってそれぞれ弾性支持されている。そして、マス部材１２は、ボデー側ブラケット２４に対して、支持ゴム弾性体１４の弾性変形を伴う相対変位を許容されている。なお、マス固定ボルト６０が挿通されるマス側ブラケット２２のボルト孔６２は、上壁部２８と下壁部３０の両方にそれぞれ形成されており、マス部材１２の左右方向の両端部に取り付けられるマス側ブラケット２２，２２が互いに共通の構造とされている。
【００４６】
マス部材１２は、ボデー側ブラケット２４に対して、上下、前後、左右の各方向で相対変位を許容される。支持ゴム弾性体１４が左右方向に延びており、左右方向では圧縮ばね成分による硬いばね特性が発揮されることから、マス部材１２の左右方向の変位が制限されている。更に、支持ゴム弾性体１４は、前後方向の幅寸法が上下方向の幅寸法よりも大きくされており、前後方向のばね定数が上下方向のばね定数よりも大きくされていることから、マス部材１２の前後方向の変位は上下方向の変位よりも制限されている。要するに、支持ゴム弾性体１４によって弾性支持されたマス部材１２は、ボデー側ブラケット２４に対して、前後方向及び左右方向よりも上下方向に変位し易くなっている。
【００４７】
また、マス部材１２は、ボデー側ブラケット２４の上金具３４と下金具３６の間に配されている。そして、マス部材１２のボデー側ブラケット２４に対する上下方向の相対変位量が、マス部材１２と上金具３４及び下金具３６とがストッパゴム１８を介して当接することで制限されている。なお、マス部材１２と上金具３４及び下金具３６との間には、ストッパゴム１８の緩衝突起２０が設けられており、マス部材１２と上金具３４及び下金具３６とがストッパゴム１８を介して当接する際の打音が低減されている。
【００４８】
このような本実施形態に従う構造のダイナミックダンパ１０は、制振対象としての車両ボデー６４のフロントヘッダ部分に設けられた内部スペース６６に収容状態で配設されて、車両ボデー６４に取り付けられている。より具体的には、ボデー側ブラケット２４の植設ピン４６が車両ボデー６４に固定されると共に、上下の固定片３８，４２に設けられたボルト孔５４に挿通される図示しない取付用ボルトによって、上下の固定片３８，４２が車両ボデー６４に固定される。これらによって、支持ゴム弾性体１４がボデー側ブラケット２４を介して車両ボデー６４に取り付けられて、ダイナミックダンパ１０が車両ボデー６４に取り付けられる。
【００４９】
ダイナミックダンパ１０の車両ボデー６４への装着によって、マス部材１２とマス側ブラケット２２，２２とマス固定ボルト６０，６０とをマス成分とし、支持ゴム弾性体１４，１４をばね成分とする副振動系が、車両ボデー６４に対して設けられる。副振動系のマス成分は、車両ボデー６４に対して、左右の支持ゴム弾性体１４，１４によって弾性連結されていることから、マス成分が車両ボデー６４に対して相対変位可能に設けられている。なお、マス部材１２を含むマス成分と、ボデー側ブラケット２４が固定された車両ボデー６４とが、支持ゴム弾性体１４，１４によって左右方向で弾性連結されている。また、ダイナミックダンパ１０は、車両ボデー６４に装着された静置状態において、各支持ゴム弾性体１４の弾性中心軸Ｌがマス部材１２の長手方向である左右方向に延びていると共に、弾性中心軸Ｌがマス部材１２の重心Ｇを通っている（図６，７参照）。
【００５０】
車両ボデー６４に装着されたダイナミックダンパ１０に対して、車両ボデー６４の主たる振動が上下方向に入力されると、副振動系のマス部材１２がボデー側ブラケット２４に対して振動することにより、副振動系が設けられた車両ボデー６４の振動が低減される。なお、ダイナミックダンパ１０によって構成される副振動系の共振周波数は、制振対象振動である車両ボデー６４の主たる振動の周波数にチューニングされており、車両ボデー６４の主たる振動に対して制振効果が有効に発揮される。
【００５１】
ダイナミックダンパ１０は、支持ゴム弾性体１４の弾性中心軸Ｌが、マス部材１２の重心Ｇを通っている。それ故、マス部材１２が振動入力によって上下方向に変位する際に、マス部材１２の変位姿勢の安定化が図られて、捻りやこじりなどの意図しない変位が防止されて、上下方向の平行移動が安定して生ぜしめられる。それ故、支持ゴム弾性体１４に意図しない力が作用することによる支持ゴム弾性体１４の耐久性の低下が防止されると共に、上下方向の振動に対して、ダイナミックダンパ１０による制振作用がより効率的に発揮される。
【００５２】
ダイナミックダンパ１０は、支持ゴム弾性体１４の横断面が、車両ボデー６４への取付側であるボデー側ブラケット２４側からマス部材１２側に向かって、次第に小さくなっている。それ故、ボデー側ブラケット２４側からマス部材１２側に向かって略一定の横断面で延びる支持ゴム弾性体に比して、支持ゴム弾性体１４のばね定数が小さくされている。従って、ダイナミックダンパ１０によって構成される副振動系のチューニング周波数を、より低周波に設定することが可能とされて、制振対象振動の周波数が低い場合にも、ダイナミックダンパ１０の制振効果を有効に発揮させることができる。
【００５３】
ダイナミックダンパ１０は、車両ボデー６４の主たる振動の入力方向（上下方向）に対して交差方向に広がる支持ゴム弾性体１４の上下両面が、それぞれ傾斜面５８を有している。そして、支持ゴム弾性体１４の横断面は、上下方向の幅寸法がボデー側ブラケット２４側からマス部材１２側に向けて次第に小さくなっている。それ故、支持ゴム弾性体１４の上下方向のばね定数が特に小さくなっている。従って、上下方向の振動である車両ボデー６４の主たる振動が入力される場合に、ダイナミックダンパ１０によって構成される副振動系の共振周波数を特に低周波までチューニングすることが可能となる。
【００５４】
また、支持ゴム弾性体１４は、車両ボデー６４に固定的に取り付けられるボデー側ブラケット２４側において、横断面が比較的に大きくされている。それ故、ボデー側ブラケット２４によって拘束されることで応力が集中し易い支持ゴム弾性体１４のボデー側ブラケット２４側において、支持ゴム弾性体１４の耐久性の向上が図られる。
【００５５】
このように、支持ゴム弾性体１４の横断面が、ボデー側ブラケット２４側からマス部材１２側に向けて小さくなるように縮小変化していることにより、車両ボデー６４によって拘束されることで亀裂などの損傷が生じ易いボデー側ブラケット２４側では、横断面が大きくされて、耐久性の向上が図られる。一方、拘束による応力集中が生じ難いマス部材１２側では、支持ゴム弾性体１４の横断面を小さくしてばね定数を小さくすることで、ダイナミックダンパ１０によって構成される副振動系の共振周波数をより低周波に設定可能となる。
【００５６】
しかも、耐久性を確保するために支持ゴム弾性体１４の左右方向の自由長を長くしたり、低周波チューニングを可能とするためにマス部材１２を大きくしたりする必要がなく、優れた防振性能と耐久性を兼ね備えたダイナミックダンパ１０を、軽量且つコンパクトに実現することができる。それ故、スペースが制限され易い車両ボデー６４のフロントヘッダ部分の内部スペース６６において、ダイナミックダンパ１０を収容状態で装着することができる。
【００５７】
また、支持ゴム弾性体１４は、横断面において、前後方向の幅寸法が上下方向の幅寸法よりも大きくされている。更に、支持ゴム弾性体１４の前後両面は相互に平行に広がる平行面５６，５６とされており、支持ゴム弾性体１４の横断面の前後方向の幅寸法が、ボデー側ブラケット２４側からマス部材１２側に向けて略一定とされている。それ故、支持ゴム弾性体１４は、前後方向のばね定数が上下方向のばね定数よりも大きくされており、マス部材１２の前後方向の変位が生じ難くなっている。
【００５８】
また、マス部材１２が左右方向に変位する場合には、支持ゴム弾性体１４，１４の何れか一方が圧縮されることから、圧縮ばね成分による硬いばね特性が発揮される。それ故、マス部材１２の左右方向の変位も生じ難くなっている。更に、弾性中心軸Ｌの回りでの回転方向のマス変位に対しても、支持ゴム弾性体１４，１４の前後方向の寸法が確保されていることにより断面二次極モーメントが大きくされて、捩じれ振動なども効率的に抑えられる。
【００５９】
このように、マス部材１２は、上下方向の変位が前後方向及び左右方向の変位よりも生じ易くなっており、マス部材１２の前後方向或いは左右方向への振れが防止されて、マス部材１２の上下方向の変位が安定する。従って、ダイナミックダンパ１０によって構成される副振動系の共振周波数のチューニングが容易になり得る。
【００６０】
なお、本発明に係る構造の支持ゴム弾性体１４において、マス部材１２の変位に伴う応力が分散して作用することは、図８に示す解析結果によっても確認されている。出力された解析結果はカラー表示されているが、図８ではグレースケールとされており、応力レベルの差異を識別し難いことから、以下に簡単な説明を加える。即ち、図８のシミュレーション結果によれば、図８の（ａ）に示す比較例としての従来構造の支持ゴム弾性体６８に比して、（ｂ）に示す実施例としての本発明に係る支持ゴム弾性体１４は、車両ボデー（ボデー側ブラケット）側に作用する応力が小さくなると共に、よりマス部材（マス側ブラケット）に近い位置まで応力が分散して作用することが確認できた。シミュレーションの結果を示す図８では、ひずみの大きさが色相によって示されており、ひずみが小さいほど青に近く且つひずみが大きいほど赤に近い色相で示されている。
【００６１】
以上、本発明の実施形態について詳述してきたが、本発明はその具体的な記載によって限定されない。例えば、ボデー側ブラケット２４及びマス側ブラケット２２の具体的な構造は、特に限定されない。例えば、ボデー側ブラケット２４の具体的な構造は、車両ボデー６４側の取付構造や、車両ボデー６４のフロントヘッダ部分の内部スペース６６などに応じて、適宜に変更される。
【００６２】
マス側ブラケット２２は必須ではなく、支持ゴム弾性体１４の左右方向の内側端部がマス部材１２に直接的に固着されていても良い。ボデー側ブラケット２４は必須ではなく、例えば、車両ボデー６４の構成部材に対して、支持ゴム弾性体１４の左右方向の外側端部が直接的に固着され得る。また、支持ゴム弾性体１４の左右方向の外面に板状の固定金具が固着されており、当該固定金具がボデー側ブラケット２４に固定されるようにしても良い。要するに、支持ゴム弾性体１４は、ボデー側ブラケット２４やマス側ブラケット２２に対して、他部材を介して間接的に固定され得る。
【００６３】
前記実施形態の支持ゴム弾性体１４は、マス部材１２の左右方向の両側に各１つが設けられていたが、例えば、マス部材１２の左右方向の両側に各複数の支持ゴム弾性体を設けることもできる。即ち、図９に示すように、マス部材１２とボデー側ブラケット２４の左右方向の対向面間に、第一の支持ゴム弾性体７０と、第二の支持ゴム弾性体７２とが、前後方向で並んで並列的に設けられていても良い。
【００６４】
図９中には明示されていないが、第一の支持ゴム弾性体７０と第二の支持ゴム弾性体７２は、上下方向（図９中の紙面直交方向）に位置する各上下両面が、ボデー側ブラケット２４側からマス部材１２側に向かって、相互に接近する方向に傾斜している。これにより、第一の支持ゴム弾性体７０と第二の支持ゴム弾性体７２の各横断面は、何れも、ボデー側ブラケット２４側からマス部材１２側に向かって次第に縮小変化している。このように、マス部材１２の左右両側に各複数の支持ゴム弾性体７０，７２を配置する場合には、各支持ゴム弾性体７０，７２の横断面がボデー側ブラケット２４側からマス部材１２側に向かって小さくされる。尤も、例えば、第一の支持ゴム弾性体７０が、上下両面が傾斜面とされると共に前後両面が非傾斜の平行面とされる一方、第二の支持ゴム弾性体７２の前後両面が傾斜面とされると共に上下両面が非傾斜の平行面とされていても良い。
【００６５】
支持ゴム弾性体１４は、必ずしもマス部材１２の両側にだけ設けられるものではない。例えば、支持ゴム弾性体１４は、マス部材１２に対して、左右方向の両側だけでなく、前後方向の両側にも設けられ得る。
【００６６】
支持ゴム弾性体１４は、車両ボデー６４に対するマス部材１２の弾性連結方向において車両ボデー６４側からマス部材１２側に向かって横断面が小さくされていれば良く、必ずしも上下両面が傾斜面５８，５８とされた構造に限定されない。例えば、支持ゴム弾性体１４は、上下何れか一方の面が弾性連結方向（弾性中心軸Ｌと略平行な方向）に対して傾斜していると共に、上下何れか他方の面が弾性連結方向に対して略平行に広がっていても良い。また、支持ゴム弾性体１４は、車両ボデー６４側からマス部材１２側に向かって横断面が小さくされていれば良く、例えば上下方向の外寸が車両ボデー６４側からマス部材１２側に向かって小さくされる一方、左右歩行の外寸が車両ボデー６４側からマス部材１２側に向かって多少は大きくなる形状も採用可能である。
【００６７】
支持ゴム弾性体１４の前後両面がボデー側ブラケット２４側からマス部材１２側に向かって相互に接近する傾斜面とされていても良い。この場合に、支持ゴム弾性体１４の上下両面は、傾斜面５８であっても良いし、互いに略平行に広がる平行面であっても良い。
【００６８】
傾斜面５８は、前記実施形態のように略一定の変化率（傾き）で直線的に延びていても良いが、例えば、変化率が変化していても良く、変化率が徐々に変化する湾曲面や、変化率が段階的に変化する折れ面などでも構成され得る。
【００６９】
マス部材１２は、矩形板状に限定されず、各種の形状が採用され得る。具体的には、例えば、円柱形状や円板形状、立方体、球などの幾何学的な形状が何れも採用可能である他、異形であっても良い。
【００７０】
本発明は、自動車用のダイナミックダンパにのみ適用されるものではなく、例えば、自動二輪車や鉄道、産業用車両、住宅、家電などに用いられるダイナミックダンパにも適用され得る。また、自動車用のダイナミックダンパに本発明を適用する場合において、ダイナミックダンパの装着部位は、必ずしも車両ボデーのフロントヘッダ部分に限定されない。
【符号の説明】
【００７１】
１０：ダイナミックダンパ、１２：マス部材、１４：支持ゴム弾性体、２２：マス側ブラケット（取付ブラケット）、２４：ボデー側ブラケット（取付ブラケット）、５６：平行面、５８：傾斜面、６４：車両ボデー、７０：第一の支持ゴム弾性体（支持ゴム弾性体）、７２：第二の支持ゴム弾性体（支持ゴム弾性体）
【図１】
2020122513.tif 000003
【図２】
2020122513.tif 000004
【図３】
2020122513.tif 000005
【図４】
2020122513.tif 000006
【図５】
2020122513.tif 000007
【図６】
2020122513.tif 000008
【図７】
2020122513.tif 000009
【図８】
2020122513.tif 000010
【図９】
2020122513.tif 000011